(57)【要約】      （修正有）【課題】羞恥心を感じることなく、しかも慌てることなく立った姿勢のままで排尿することが可能な男性用携帯型トイレを提供する。【解決手段】上部に陰茎を挿入可能な開口部１１ａを有する不透水性の袋体１１と、袋体１１の上部に袋体１１と一体的にフック部材１２を設け、フック部材１２の上部には、着用者の胴部に巻きつけたベルト部材に、予め携帯型トイレ１０を装着可能なよう係止部を設ける。【選択図】図１
2017064285.tif 000002
【特許請求の範囲】
【請求項１】
上部に陰茎を挿入可能な開口部（１１ａ）を有する不透水性の袋体（１１）と、
袋体（１１）の上部に袋体（１１）と一体的に設けられると共に、上部に係止部（１３）を備えるフック部材（１２）と、
着用者の胴部に巻きつけ装着するためのベルト部材（３０）と、
により成る携帯型トイレ（１０）。
【請求項２】
上部に陰茎を挿入可能な開口部（２１ａ）を有すると共に、上部壁面にフック部材（２２）の下端に設けた係止部（２４）を係止可能な孔部（２１ｂ）を備えた不透水性の袋体（２１）と、
上部及び下部に屈曲された係止部（２３，２４）を備えるフック部材（２２）と、
着用者の胴部に巻きつけ装着するためのベルト部材と、
により成る携帯型トイレ（２０）。
【発明の詳細な説明】
【技術分野】
【０００１】
本発明は、携帯型トイレに関し、殊に、ゴルフやウォーキング、ドライブなどの長時間の外出時に、慌てることなく立った姿勢のままで排尿することが可能な男性用携帯型トイレに関する。
【背景技術】
【０００２】
渋滞時における自動車内等で使用するための排尿用の携帯型トイレとしては、様々なものが提案されている。
【０００３】
特許文献１には、利用者の陰茎に常に装着する装着部と尿をためる蓄尿部とからなり、装着部と蓄尿部とが着脱可能に連結された排尿補助具が開示されている。
【０００４】
特許文献２には、吸収剤を内部に収容した袋体に腰紐を取付け、この腰紐で袋体を利用者に装着する排尿処理具が開示されている。
【先行技術文献】
【特許文献】
【０００５】
【特許文献１】特開２００９−７２２４８号公報
【特許文献２】実開平６−８６６９５号公報
【発明の概要】
【発明が解決しようとする課題】
【０００６】
市販されている携帯型トイレの多くは、袋体の中に凝固材や吸水シートを入れただけのものであり、使用時に周囲に人がいると羞恥心から装着しづらいという難点がある。
【０００７】
また、使用時には袋体を手で押さえ続けておく必要が有り、周囲から見て立ち小便をしている様に見えるので、やはり使用者は羞恥心を感じることが多いという難点があった。
【０００８】
そこで本発明は上記のような羞恥心を感じることなく、しかも慌てることなく立った姿勢のままで排尿することが可能な男性用携帯型トイレを提供することを目的とする。
【課題を解決するための手段】
【０００９】
上記の目的を達成する本考案の構成は以下の通りである。
【００１０】
（１) 請求項１に記載の発明は、上部に陰茎を挿入可能な開口部を有する不透水性の袋体と、袋体の上部に袋体と一体的に設けられると共に上部に係止部を備えるフック部材と、着用者の胴部に巻きつけ装着するためのベルト部材とにより構成した。
【００１１】
（２) 請求項２に記載の発明は、上部に陰茎を挿入可能な開口部を有すると共に、上部壁面にフック部材の下端部を係止可能な孔部を備えた不透水性の袋体と、上部及び下部に屈曲された係止部を備えるフック部材と、着用者の胴部に巻きつけ装着するためのベルト部材とにより構成した。
【発明の効果】
【００１２】
上記のように構成される本発明が、如何に作用して課題を解決するかを図面を参照しながら概説する。
【００１３】
図１は請求項１に記載の携帯型トイレ１０の正面図であり、袋体１１の上部にフック部材１２が設けられているものである。
【００１４】
図５に示すように、上記フック部材１２を構成する係止部１３を、着用者Ａの腰周りに巻いたベルト部材３０に係止し、且つ、陰茎Ｂを開口部１１ａから袋体１１内に挿入する。かかる状態で下着及びズボンを着用すれば、予め携帯型トイレが着用されており、つまりは排尿時に装着する必要がなく、しかも陰茎は袋体１１内に挿入されていることから袋体を手で押さえ続けておく必要もなく、使用者は羞恥心を感じることが無く、立ったままの姿勢で排尿することが可能となるのである。
【００１５】
図６乃至図８は、請求項２に記載の携帯型トイレ２０を示すものである。携帯型トイレ２０と請求項１に記載の携帯型トイレ１０との違いは、フック部材が袋体と一体化されているか着脱自在かという点にあり、フック部材２２を用いてベルト部材３０に係止し着用し、陰茎を開口部２１ａから袋体２１内に挿入した状態で使用するという点では請求項１に記載の携帯型トイレ１０と異ならない。つまりは請求項２に記載の携帯型トイレ２０も、使用者は羞恥心を感じることが無く、立ったままの姿勢で排尿することが可能となるのである。
【図面の簡単な説明】
【００１６】
【図１】請求項１記載の発明の正面図
【図２】同、背面図
【図３】同、左側面図
【図４】ベルト部材の斜視図
【図５】使用状態を示す説明図
【図６】請求項２記載の発明の正面図
【図７】同、背面図
【図８】同、左側面図
【発明を実施するための形態】
【００１７】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００１８】
図１乃至図３は、請求項１に記載の携帯型トイレ１０を示すものである。図示されるように携帯型トイレ１０は、袋体１１とフック部材１２が一体的に設けられるものであり、両者は一体成型しても構わないし、別個に成形したうえで接着或いは溶着しても構わない。
【００１９】
袋体１１は上部に、陰茎を挿入するのに十分な大きさに設けた開口部１１ａを有する中空の容器であり、不透水性の素材、好ましくは合成樹脂で形成されるものである。
【００２０】
フック部材１２は袋体１１の上部から上方に向かって延設される板状体であり、その上部は折り返され係止部１３が形成される。
【００２１】
図４に示されるベルト部材３０は、着用者の腰周りに巻回可能な長さを有するベルト体である。図示されていないが、腰周りに固定可能とするため両端には面状ファスナや、ボタン、バックル等の固定部材が設けてある。
【００２２】
図６乃至図８は、請求項２に記載の携帯型トイレ２０を示すものである。図示されるように携帯型トイレ２０は、袋体２１とフック部材２２が別個に設けられるものである。
【００２３】
袋体２１は上部に、陰茎を挿入するのに十分な大きさに設けた開口部２１ａを有する中空の容器であり、不透水性の素材、好ましくは合成樹脂で形成されるものである。袋体２１の上部壁面には、フック部材２２の下端部を係止可能な孔部２１ｂが設けてある。
【００２４】
フック部材２２は上端及び下端がそれぞれ折り返された板状体であり、折り返された上端は係止部２３が、折り返された下端は係止部２４が形成される。
【符号の説明】
【００２５】
１０・・携帯型トイレ      １１・・袋体      １１ａ・・開口部
１２・・フック部材      １３・・係止部
２０・・携帯型トイレ      ２１・・袋体      ２１ａ・・開口部
２１ｂ・・孔部      ２２・・フック部材      ２３・・係止部
２４・・係止部
３０・・ベルト部材
【図１】
2017064285.tif 000003
【図２】
2017064285.tif 000004
【図３】
2017064285.tif 000005
【図４】
2017064285.tif 000006
【図５】
2017064285.tif 000007
【図６】
2017064285.tif 000008
【図７】
2017064285.tif 000009
【図８】
2017064285.tif 000010